(57)【特許請求の範囲】
【請求項１】
車両（２）のそれぞれのホイール（１）上に取り付けられ、
空気入りタイヤ内の圧力を測定するためと電気圧力測定信号を生成するための圧力センサと、
制御回路と、
該制御回路の制御下で圧力測定信号または無線周波信号の形で圧力信号から誘導される信号を送信するための送信アンテナ付きの送信機と、
を備える装置（３）とともにタイヤ空気圧監視システムで使用するための車両上の装置であって、
車両（２）内に装着される評価制御装置（８）と、
復調器（６）を備えるＲＦ受信機（５）を介して、評価制御装置（８）に接続される受信アンテナ（４）が、それぞれのホイール（１）に割り当てられているものと、
を備える車両上の装置において、
受信アンテナ（４）に、復調器（６）と組み合わされたＲＦ受信機（５）と、受信アンテナ（４）の取り付け箇所特有のデジタル電気識別信号の生成のための回路装置（７）と、バスインタフェース（１９）が割り当てられ、
評価制御装置（８）がバスインタフェース（１８）を備え、
バスインタフェース（１９）と、バスインタフェース（１８）とが、バス（１７）によって相互に接続され、
該接続は、第１コネクタ要素（２２）に第２コネクタ要素（２３）が接続されるようにしたプラグインコネクタ（２１）を備え、第１コネクタ要素（２２）によってバス（１７）に、第２コネクタ要素（２３）によってＲＦ受信機（５）のバスインタフェース（１９）に、それぞれ接続されるとともに、
第１コネクタ要素（２２）の複数の接続素子のそれぞれに与える各電圧を異ならせることによって形成される電気的な形による識別子を備えており、
第１コネクタ要素（２２）に第２コネクタ要素（２３）が接続されると、回路装置（７）は、前記電気的な形による識別子にもとづいて生成したデジタル電気識別信号を、評価制御装置（８）に伝送されるデータ信号に付加するために、バスインタフェース（１９）に供給するように設計されている
ことを特徴とする前記タイヤ空気圧監視システムで使用するための車両上の装置。
【請求項２】
受信アンテナ（４）、ＲＦ受信機（５）、復調器（６）、回路装置（７）及びバスインタフェース（１９）が、１つのモジュール（２０）として構成されていることを特徴とする請求項１に記載の車両上の装置。
【請求項３】
復調器（６）、回路装置（７）及びＲＦ受信機（５）が、バスインタフェース（１９）及びプラグインコネクタ（２１）を介して、車輌（２）の電池電圧（Ｕｂａｔｔ）に接続されていることを特徴とする請求項１または請求項２に記載の車両上の装置。
【請求項４】
受信アンテナ（４）が、ホイール（１）の近くに配置されていることを特徴とする請求項１から請求項３のいずれかに記載の車両上の装置。
【請求項５】
車両（２）の１つの共通するアクスルに取り付けられた複数のホイール（１）に割り当てられる受信アンテナ（４）を、１つの共通する受信アンテナ（４）で構成したことを特徴とする請求項１から請求項３のいずれかに記載の車両上の装置。
【請求項６】
ホイール（１）をもつトレーラ（３５）付きの車輌（２）の場合において、
トレーラ（３５）が、前記車両（２）と同様に、ホイール（１）のタイヤ空気圧を監視するために、
トレーラ（３５）のホイール（１）に割り当てられた受信アンテナ（４）と、
受信アンテナ（４）に、復調器（６）と組合されたＲＦ受信機（５）と、受信アンテナ（４）の取り付け箇所特有のデジタル識別信号の生成のための回路装置（７）と、バスインタフェース（１９）とが割り当てられたものとを有しており、
トレーラ（３５）内のバスインタフェース（１９）を車両（２）内のバス（１７）に接続するために、追加のプラグインコネクタ（２１）が、車両（２）のバスとトレーラ（３５）のバスとの間に備えられることを特徴とする請求項１から請求項５のいずれかに記載の車両上の装置。
【請求項７】
受信アンテナ（４）、ＲＦ受信機（５）、復調器（６）、回路装置（７）及びバスインタフェース（１９）が、１つのモジュール（２０）として構成されるとともに、モジュール（２０）が互いに同一であることを特徴とする請求項１から請求項６のいずれかに記載の車両上の装置。
【請求項８】
第１コネクタ要素（２２）がプラグで構成され、第２コネクタ要素（２３）が前記プラグに対応する結合器で構成されたことを特徴とする請求項１から請求項７のいずれかに記載の車両上の装置。
【請求項９】
復調器（６）、ＲＦ受信機（５）、回路装置（７）及びバスインタフェース（１９）が、１つのモジュール（２０）として構成されるとともに、モジュール（２０）上に前記結合器が固定されることを特徴とする請求項８に記載の車両上の装置。
【請求項１０】
バス（１７）が、第１コネクタ要素（２２）に接続されるケーブルハーネスの一部であることを特徴とする請求項１から請求項９のいずれかに記載の車両上の装置。
【発明の詳細な説明】
【０００１】
本発明は、請求項１の前文に示されている特徴を有する装置に係わる。この種の装置は、それぞれのホイール上、特にバルブ上で、またはホイールのバルブ付きの１つのモジュールとして、電池式の電子測定制御回路、送信機、及び送信アンテナとともに、後者は配列される圧力センサによって車両のタイヤ内の圧力を監視することが開示される第ＤＥ １９５ １８ ８０６Ａ１号から既知である。それぞれのホイール上に備えられるこのような装置は、これ以降、ホイール式電子モジュールと呼ばれるだろう。電子測定制御回路は、この目的のために、それぞれがホイールの１つの近くに、特に車体のホイールハウスの壁の上に備えられる受信アンテナに後者が接続される、次にデジタル無線信号に変換され、無線によって中央受信評価制御装置に伝送されるそれぞれのホイール式電子モジュール内の圧力センサにより供給されるそれぞれの識別信号を電子タイヤ空気圧信号に付加する。無線信号は、デジタル形式でプリアンブル、識別信号、タイヤ圧力またはそこから引き出される値を含む信号、及びポストアンブルを含むデータ電信を構成する。無線信号は、無線周波信号である。無線周波伝送は、ドイツではＩＳＭバンドとして知られる４３３ＭＨｚ範囲で、他のいくつかの国々では３１５ＭＨｚ範囲または８６８ＭＨｚ範囲で達成される。ホイール式電子モジュールによって送出される無線信号は、この目的のために備えられる受信アンテナによって受信される。
【０００２】
ＤＥ第１９５ １８ ８０６ Ａ１号に従って、受信アンテナは、ＲＦ信号を伝送するために適した特殊線路を介して、アンテナごとに別個の受信チャネルが備えられるＲＦ受信機が、それぞれの受信チャネルの入力に達する信号を増幅、復調する中心受信評価制御回路にＲＦ信号を伝送する。受信評価制御装置の制御モジュールを介してドライバに、必要な場合には警告、またはタイヤ圧力に関する他のなんらかの情報を提供するために、復調後、そのときに存在するＬＦ信号が復号、評価される。
【０００３】
ホイール式電子モジュールは電池式であり、電池は最長可能耐用年数、例えば少なくとも７年という耐用年数を持たなければならないので、ホイール式電子モジュールは、最小可能電流消費で動作しなければならない。結果的に、その無線信号は非常に弱い。低信号レベルのために、ＤＥ第１９５ １８ ８０６ Ａ１号から既知であるシステム内の受信アンテナと中央受信評価制御装置間の電気線路には、それらの線路を介して伝送される信号を外部干渉から保護するために高価な手段が必要となる。ＤＥ第１９５ １８ ８０６ Ａ１号によるタイヤ空気圧監視システムの実践的な例においては、電気線路は、高価な方法で遮蔽されている拠り対線である。このようにして達成可能な干渉からの安全性は不完全に過ぎず、かなりの費用と結び付いている。
【０００４】
ここで信号の伝送をさらに雑音の影響を受けにくくし、これを安価な方法でするための方法を示すことが本発明の目的である。しかしながら、同時に、中央評価制御装置が、装置に伝送される信号とそれぞれの信号がそこから得られる受信アンテナを識別できることが保証されたままでなければならない。
【０００５】
この目的は、請求項１に定められる特徴を有する装置によって達成される。発明の有利な追加の進展は副請求項の主題である。
【０００６】
従来の技術とは反対に、発明によるＲＦ受信機及び評価制御装置は、もはや、中心装置として車両内に装置され、すべての受信アンテナに接続される１つのモジュールに結合されていない。代わりに、それぞれの受信アンテナは、現在そのアンテナに、また、ＲＦ受信機装置なしで済ますことができる評価制御装置に、バスによって接続される別個のＲＦ受信機を割り当てている。
【０００７】
電気信号をデジタル化された形式で伝送するバスシステムは、このような信号の伝送のために高価な遮蔽ケーブルを必要としないので、発明はその程度において有利である。むしろ、現在では、遮蔽ケーブルよりはるかに安価に入手できる遮蔽されていない電気線路を使用することができる。今日、多くの場合に当てはまる、車両にすでにバスシステムが備えられている場合には、そのバスシステムは発明の目的のために同時に使用することができ、一方でＲＦ受信機、及び他方で評価制御装置が、既存のバスシステムと接続されることだけが必要であり、いずれにせよ車両のために備えられているケーブルハーネスに容易に一体化でき、それとともにあらかじめ製作し、設置することができる（バスシステムの空間的な配列に応じて）数本の短いまたはどちらかというと長い追加の線路によって達成できる。追加の優位点は、それぞれの受信アンテナとそれに関連付けられるＲＦ受信機は一方が他方に密接に隣接して装置されてよい、あるいはＤＥ第１９５ １８ ８０６ Ａ１号に開示されるシステムとは反対に、ＲＦ信号がもはやより長い伝送線路で伝送される必要はないが、受信機の下流に装置される変調器内でＬＦ信号に変換され、その後ＬＦ信号が復号され、デジタル化され、バスインタフェースによって選択されたバスシステムに適した信号形状にされるために、最短可能距離でＲＦ受信機に受信アンテナによって直接的に供給できるように単一のモジュール内に結合されてもよいので、別個のＲＦ受信機を受信アンテナのそれぞれに割り当てることによって、信号伝送プロセスの干渉感受性を最小限に抑えることが可能であるという事実にある。
【０００８】
低周波数信号の、及び特にデジタル直流信号の伝送は、ＤＥ第１９５ １８ ８０６Ａ１号に開示されるシステムによる撚り対線を介したＲＦ信号の伝送よりはるかに干渉の影響を受けにくい。特に、受信アンテナ及びその関連付けられるＲＦ受信機が単一モジュール内で結合される場合に、ＲＦ受信機への最小可能線路接続が、ＲＦ受信機から評価制御装置への信号伝送を、より干渉の影響を受けにくくするのに役立つ。
【０００９】
バスシステムとして適しているのは、例えばＣＡＮ−ＢＵＳなど、任意の既知のバスシステムである。
【００１０】
単一チャネルＲＦ受信機が必要とされるだけであるため、ＲＦ受信機は安価な場合がある。ＲＦ受信機には、車両の電気配線からの電流が供給されなければならない。電圧供給は、車両の電気配線からそれぞれのＲＦ受信機への別個の供給線路を介して達成できる。しかしながら、好ましくは、別個の線路を介して達成される代わりに、電圧供給はそれとしてバスシステムを介して達成される。
【００１１】
ＤＥ第１９５ １８ ８０６Ａ１号から既知のタイヤ空気圧監視システムとは反対に、本発明によるバスシステムが使用されるとき、評価制御装置は、受信アンテナによって、受信アンテナと評価制御装置間の導体装置から独占的に評価制御装置に伝送される信号の起点を特定することはできない。その情報が評価制御装置によって取得されるのを可能とするために、発明によって、プラグインコネクタが、そのインタフェースをバスに接続するために、それぞれの受信アンテナに関連付けられるすべてのバスインタフェースに装置されることがさらに提案される。該プラグインコネクタは、２つのコネクタ要素、つまりバスに接続される第１コネクタ要素、及びバスインタフェースに接続される第２コネクタ要素を備える。発明に従って、該第１コネクタ要素は、該第１コネクタ要素が該第２コネクタ要素に接続されると、該第１コネクタ要素の識別子特有のデジタル電気識別信号の生成のためにＲＦ受信機の側に備えられる回路装置に伝送される電気的／機械的な形（電気的な形及び機械的な形をいう。以下において、同じ）の識別を提供するように設計され、識別子は前者の特定の構造により特定される。プラグインコネクタの第１コネクタ要素に割り当てられる識別子は、受信アンテナの各取り付け場所について異なる。第１コネクタ要素が第２コネクタ要素と接続されると、識別子は、デジタル電気識別信号を生成することを目的とする回路装置に伝送され、その結果その回路装置は、第１コネクタ要素の識別子特有のデジタル電気識別信号を生成し、関連付けられる受信機がホイール式電子システムから無線によって受信したデータ電信にその識別信号を付加する。したがって、中心評価制御装置内に達する各データ電信は、データ電信に含まれる圧力測定信号がそこから受信された受信アンテナを示す識別信号を含む。データ電信に含まれるデジタル電気識別信号を、評価制御装置に記憶される受信アンテナのすべての考えられる取り付け場所の識別子と比較することによって、デジタル識別信号がデータ電信の一部として完璧に伝送されたならば、評価制御装置は、そこから各データ電信が受信された受信アンテナを明確に特定できる。そうでなければ、データ電信は不良として拒絶できる。
【００１２】
データ電信がそこから受信されたアンテナを特定する方法は、発明により提案されるように、かなりの優位点を提供する。
【００１３】
・それぞれ、受信アンテナ、復調器と組み合わされたＲＦ受信機、または受信アンテナの取り付け場所特有の識別信号を生成するための回路装置、及びバスインタフェースを備えるモジュールまたは装置は、機能を区別することなく同一に設計されてよい。これが、生産と保管を容易にする。モジュールは、これらのモジュールまたは装置がさまざまな取り付け場所で接地されるときにだけ、及びプラグインコネクタが２つのコネクタ要素を接合することによってバスに接続されるとき、評価制御装置について区別できるようになる。
【００１４】
・取り付け場所のコード化特性は、いずれにせよ後者の生産中に必要である車両上での配線作業の一部として達成される。
【００１５】
・バスは、いずれにせよ生産され、設置されなければならないケーブルハーネスの一部であってよい。特定的なプラグインコネクタが、結局、特定的な取り付け場所にあるようにならなければならないことは、すでにケーブルハーネスの設置と関連する標準的な要件である。タイヤ空気圧監視システムと関連してプラグインコネクタについてもこのような要件を満たすことは、「第1」コネクタ要素が正しい取り付け場所に装置されることが容易に保証できるように、ケーブルハーネス技術の技能者には困難を呈さない。
【００１６】
・評価制御装置は、受信アンテナが実際に設置される取り付け場所の識別子だけではなく、車両の型変形に対してだけ関連する追加取り付け場所、または一時的に連結されるにすぎないトレーラ内の取り付け場所も、その中に記憶している可能性がある。例えば、さらに高価な型変形のケースでは、各ホイールに受信アンテナ、復調器、識別信号を生成するための回路装置及びバスインタフェース付きのＲＦ受信機を備える別個のモジュールを割り当てることが考えられるだろう。さらに安価な型変形のケースでは、１つの共通したモジュールまたは装置が１つのアクスル上に配列されるホイールに割り当てられるだろう。なおさらに安価な型変形においては、車両のすべてのホイールには１つの共通した中心に装置されるモジュールまたは装置が割り当てられるだろう。追加変形に従って、例えばホイールがタイヤ空気圧について監視されなければならないキャラバンなどの単一アクスルトレーラを連結することも想像できる。追加の変形に従って、１つまたは複数のこのようなモジュールまたは装置を用いて、タイヤ空気圧についてホイールが監視されなければならない２アクスルトレーラの連結に備えることができるだろう。さまざまな取り付け場所のための多数の変形は、中央評価制御装置に事前に記憶され、そのケースでは、他のすべての考えられる取り付け場所の識別子とは異なる、別個の識別子が、考えられる取り付け場所に割り当てられ、それぞれの考えられる取り付け場所のために記憶されてよい。
【００１７】
・違う方法でコード化された「第１」プラグインコネクタ要素付きのさまざまなケーブルハーネスは、車両のさまざまな型変形及び装置変形のために使用してよい。このようにして、発明によるシステムは、追加の適応なしに、車両のすべての型変形及び装置変形について、受信アンテナ、復調器、識別信号の生成のための回路装置、及びバスインタフェース付きの、及び同一の評価制御装置付きのＲＦ受信機から成り立つ、同一の構成要素または装置とともに使用でき、それは車両の組み立てにおいて、及び修理及び保守の目的のために驚くべき優位点である。
【００１８】
例えば、トレーラ連結装置が取り付けられているときに、トレーラの連結のために電気連結器を設置することはいずれにせよ必要であるため、トレーラが準備されなければならない場合には、その装置変形のためのプラグインコネクタの適切なコード化を、トレーラ連結装置の組み立ての機会にすでに行うことができる。
【００１９】
発明に従って、それぞれの受信アンテナの取り付け場所に割り当てられるプラグインコネクタの「第1」コネクタ要素は、電気的／機械的な形の識別子を提供するように設計される。これは、プラグインコネクタの第1コネクタ要素が、その機械的な構造において一方から他方で異なること、及びいったん第1コネクタ要素が第２コネクタ要素に連結されると、このような相違点が、後者が第1コネクタ要素の識別子特有のデジタル電気識別信号を生成、伝送させられるように、ＲＦ受信機の端部で提供されるデジタル電気識別信号の生成のための回路装置上に電気的な影響を及ぼすことを意味する。それらのデジタル識別情報の構造は、回路装置の構造によって事前に決定される。回路装置の設計は、それぞれの取り付け場所特有の所定の識別信号が、すべての可能な取り付け場所について生成、伝送できるように選択される。
【００２０】
バスへの接続のために、プラグインコネクタは、選択されたバス構造に応じて数多くの接点組を必要とする。受信アンテナの特定の取り付け場所によって決定される電気的／機械的な識別子を提供できるために、プラグインコネクタは、さらに、好ましくは、それぞれが便利なことに接続ピン及び関連付けられるジャックから成り立つ複数の追加の接点組を備え、接続ピンが第１コネクタ要素上に配列され、接点ジャックがプラグインコネクタの第２コネクタ要素上に配列される、あるいは逆もまた同様であるかどうかは重要ではない。追加接続ピンまたは接点ジャックはプラグインコネクタの第２接続要素上に備えられ、デジタル電気識別信号の生成のためにすべての考えられる取り付け場所について同一の様式で回路装置に接続されるが、追加の接続ピンまたは接点ジャックの数及び／または配列、及び／または車両の電気配線の電気導体に対する、または接地に対するそれらの接続に関する相違点に関して、認識される取り付け場所に応じて、第1コネクタ要素に確かに相違点が存在し、したがって考えられる取り付け場所ごとに、第1コネクタ要素の異なる配列が選択される。例えば、プラグインコネクタの第1コネクタ要素に備えられる追加の接続ピンまたは接点ジャックから、それぞれの考えられる取り付け場所について異なる、２つの接続ピンまたは接点ジャックを選択し、このようなピンまたはジャックの一方を接地に、他方を電気導体に接続することが可能だろう。その目的のために選択される２つの接続ピンまたはジャックに応じて、回路装置はさまざまな入力でそれに供給される電圧によって制御され、それぞれ接地及び電圧に対する追加の接続ピンまたはジャックの選択された接続によって決定される識別信号を生成させられ、次に識別信号は、評価制御装置に伝送される各データ電信に追加されるだろう。したがって、数ｎが追加接点組である、２ｎ個の取り付け場所を区別することが可能である。
【００２１】
コネクタ要素はそれらの接点割り当てに関して他方から一方で異なるが、それらはすべて、好ましくは、プラグインコネクタの等しい「第２」コネクタ要素上に嵌合し、このようにしてそれらの基本的な構造に関して同一であるが、それぞれ、追加接点の数及び／または配列、及び／または電圧及び接地に対するそれらの割り当てに関して他方から一方で異なるコネクタ要素のファミリを形成する。それにより可能となる「第1」コネクタ要素の変形の異なる取り付け場所への割り当ては、１つのモデルファミリ（すなわち、1つの自動車の型の種別）の全車両について同じままとなってよく、モデルファミリのすべての装置変形に適してよい。
【００２２】
ここで、発明のいくつかの有利な例示的な実施態様が、図面に関して説明されるだろう。
【００２３】
同一のまたは対応するパーツは、さまざまな図中で同じ参照番号によって示される。
【００２４】
図１は、車両２、特に自動車の４つのホイール１を図式による表示で示す。各ホイール１に取り付けられているのは、ホイール式電子モジュール３である。該ホイール式電子モジュール３は、他方から一方で同一であり、それぞれのホイール１に関連して同じ取り付け場所を有する。各ホイール式電子モジュール３は、（図中に図示されていいない）電池、好ましくは、関連付けられる測定制御電子部品、及び送信アンテナを供給するＲＦ段のある送信機付きの圧電圧力センサを備える。該送信機は、該圧力センサによって捕捉され、測定制御電子部品によって処理された圧力信号を、さらにそれぞれのホイール式電子モジュール３特有の識別信号を含むデジタルＲＦ信号の形で送出する。
【００２５】
各ホイール１に隣接して、受信アンテナ４が、それぞれのホイールが入れられる自動車２の車体のホイールハウス内に備えられる。各受信アンテナ４に割り当てられているのは、例えば、自動車１の計器パネルの後ろに位置してよい中心評価制御装置８にバス１７を介して連結される装置２０を形成するために、識別信号及びバスインタフェース１９を生成するための復調器６、回路装置７付きの単一チャネルＲＦ受信機５である。
【００２６】
該評価制御装置８は、入力にバスインタフェース１８を、信号の評価及び制御タスク用にマイクロプロセッサ１０を、警告信号及びタイヤ空気圧に関する他の情報がバス１７を介して計器パネル上に表示できるバスインタフェース１２内のバスドライバ１１を備え、評価制御装置の動作及び設定のための信号が伝送できる。評価制御装置８は、さらに診断インタフェース１４用のドライバ１３を備える。評価制御装置８は車両配線からの電圧を供給され、図面中、自動車の評価制御装置８と電池１５の間の接続によって象徴される。モジュール２０の電圧供給は、評価制御装置８を介して、及びバス１７の線路を介して達成される。
【００２７】
図１に描かれるタイヤ空気圧監視システムは、以下のように動作する。
ホイール式電子モジュール３は、プリアンブル、送信するホイール式電子モジュール３特有の識別信号、測定信号、及びポストアンブルを有するデータ電信を備える信号を送出する。これらのＲＦ信号はアンテナ４によって受信され、回路装置７内で生成され、それぞれの受信アンテナ４の取り付け場所特有の識別信号によって復調、復号、及び補足され、自動車内に設置されるバスシステムのデータプロトコルを生成し、バス１７を介して、ホイール式電子モジュール３から受信されるデータ電信を、それがバスインタフェース１８によって受信され、マイクロプロセッサ１０内で評価される中央評価制御装置８にそれを送信するバスドライバを後者備えるバスインタフェース１９に伝送される。マイクロプロセッサ１０は、それぞれの受信アンテナ４の取り付け場所の特性を示すデータ電信内に含まれる識別信号を、マイクロプロセッサ１０に記憶される受信アンテナ４のすべての考えられる取り付け場所の識別子と比較し、一致が検出されると、そこから、伝送されたデータ電信を発する受信アンテナを引き出す。
【００２８】
回路装置７によって生成される識別信号は、モジュール２０をバス１７に接続するどのプラグインコネクタ２１が選択された受信アンテナ４の取り付け場所に割り当てられるのかに応じて異なる。これは、これ以降、受信アンテナ４、復調器６付きのＲＦ受信機５、識別信号の生成用の回路装置７、及びバスドライバ付きのバスインタフェース１９を備えるモジュール２０の１つのブロック図を示す、図２に関して説明されるだろう。モジュール２０をバス１７に接続するために、プラグの形を取る第1コネクタ要素２２及びモジュール２０上に装置される結合器の形を取る第２コネクタ要素２３を備えるプラグインコネクタ２１が備えられる。このプラグインコネクタ２１は、第1線路２４及び関連付けられる接続ピン２４ａを介して、複数のデータライン（データ線２５だけが図中に図示されている）を介して車両配線からの必要な供給電圧Ｕ ｂａｔを、及び対応する数の接続ピン２５ａを介してデータを伝達し、追加線路２６及び関連付けられる接続ピン２６ａを介して必要な接地接続を確立するのに役立つ。３つの追加線路２７、２８及び２９は、取り付け場所を符号化するために、プラグ２２の３つの追加接続ピン３０、３１、３２を使用するのに役立つ。この目的のため、それらの接続ピン３０、３１及び３２は、それぞれの取り付け場所特有の方法で、それぞれ、接地に、及び電池電圧Ｕ電池に接続される。描かれている実施態様においては、接続ピン３０と３１が接地に接続されるが、接続ピン３２は地電位を超える電池電圧Ｕ電池を伝搬する。追加の接続ピン３０、３１及び３２は、回路装置７に接続され、接続ピン３０、３１、及び３２の割り当てに応じて後者を制御する結合器２３の相応して配列される接点ジャック３４内に嵌合され、その結果、それは、接続ピン３０、３１、及び３２の割り当て特有の識別信号を生成してから、このような信号を、次にデータ線２５を介して中央評価制御装置８に伝送されるデータ電信への付加のためにバスインタフェース１９内のドライバに供給する。
【００２９】
図３は、単一アクスルトレーラ３５付きの車両２の図式による表示を示す。受信アンテナの７つの取り付け場所Ｐ１からＰ７が車両内に提供され、追加の１つのＰ８がトレーラ３５上に提供される。取り付け場所Ｐ１からＰ７のすべてが、モジュール２０と組み合わせて受信アンテナ４をそれらに割り当てられるわけではない。図１に描かれている種類の装置変形のケースでは、取り付け場所Ｐ１、Ｐ３、Ｐ４及びＰ６だけが、記述されているように割り当てられている。さらに安価な種類の場合、取り付け場所Ｐ２（２つのフロントホイール用の１つの共通モジュール２０）及び取り付け場所Ｐ５（リアホイール用の１つの共通モジュール２０）だけを割り当てることが考えられるだろう。なおさらに安価な実施態様の場合、例えば、本体のフロアパネルの下の中心点にある取り付け場所Ｐ７だけにモジュール２０を割り当てることが考えられるだろう。現在のケースでは、トレーラ３５に対してはただ１つの装置変形だけ、つまり単一アクスル上に取り付けられる２つのホイール１だけのための単一モジュール２０が考えられる。しかしながら、トレーラの２つのホイールのそれぞれに別々のモジュール２０を割り当てることも可能だろう。
【００３０】
しかしながら、評価制御装置８は、データ電信がそこから到達する取り付け場所Ｐ１からＰ８を知っているが、それは、ホイール１のどれからデータ電信が発するのかを区別することはできないため、一般的には、各受信アンテナ４はホイール１のそれぞれから信号を受信できる。しかしながら、平均では、指定されたホイール１に最も近い受信アンテナ４が、他のホイールに取り付けられる追加の遠隔電子装置によって発せられる信号と比較してさらに高い強度（受信振幅）で、そのホイールに取り付けられる電子装置３によって発せられる信号を受信するだろう。したがって、指定される受信アンテナ４によって受信される信号の強度を比較することによって、ホイール式電子装置のどれが、特定の信号が発する車両ホイールのインジケータとして信号強度が解釈できるように、指定される受信アンテナ４で最高の信号強度を生成するのかが特定できる。このような強度比較を実施し、ホイール位置を確定する目的のためにそれを使用するプロセスは、参照がこれによって明示的になされるＤＥ第１９６ ０８ ４７８ Ａ１号に開示されている。それぞれのホイール式電子装置は、この目的のために、そのデータ電信の一部として、それぞれのホイール式電子装置３特有の識別信号を送出する。評価制御装置８が受信される信号の強度を評価できるようにするために、バス１７を介して伝送されるデータ電信とともに、例えば、受信される信号電界強度に関するなんらかの情報などの、それぞれの受信アンテナ４によって受信される信号の強度に関するなんらかの追加情報を伝送することが必要である。この情報は、技術専門用語の省略形ＲＳＳＩ（＝Ｒｅｃｅｉｖｅｄ Ｓｉｇｎａｌ Ｓｔｒｅｎｇｔｈ Ｉｎｄｉｃａｔｏｒ（受信信号強度インジケータ）＝受信電界強度の基準）によっても記述される。これは、さまざまな方法で達成できる。
【００３１】
無線によって伝送される信号のＲＳＳＩレベルに比例する強度を有するアナログ信号は、単一チャネルＲＦ受信機内で生成される。該アナログ信号を生成するために、受信される信号は、例えば、散開され、１つの分岐がコンデンサにより統合される。それから、コンデンサで蓄積する電圧が、受信されるＲＳＳＩの基準を提供する。
【００３２】
それから、アナログ信号は、バス１７の線路を介して、直接電圧としてまたは負荷に依存しない直流として中央評価制御装置に伝送できる。
【００３３】
他方、単一チャネルＲＦ受信機５は、無線によって受信される信号のＲＳＳＩレベルを局所的に評価し、ＲＳＳＩレベルをデジタル信号に変換し、その信号を、受信され、復調された受信デジタル信号とともに中央評価制御装置８に伝送するように適切に設計することができる。デジタルＲＳＳＩ信号の伝送は、受信され、復調されたデジタル信号の前または後のどちらかに達成できる。
【００３４】
すべてのホイール１がそれらに別個のモジュール２０を割り当てていないが、別個のモジュール２０が１つの共通アクスル上に、または１台の四輪車両のために取り付けられる２つのホイール１ごとにだけ備えられるときには、信号は、右ホイールと左ホイール、及びフロントホイールとリアホイールを明確に区別できる、速度、接線加速度及び進んだ距離の差異などのそれぞれのホイール１の移動状態に関する情報がそれによって得ることができるホイール式電子装置３内に１つまたは２つの追加加速センサが備えられる装置によってさまざまなホイール位置に割り当てることができる。これを達成できる方法は、さらに技術的な詳細のために明白な参照がこれによってなされるドイツ特許出願番号第１９７ ３５ ６８６．９号、第１９８ ５６ ８６１.４号、及び第１００ １２ ４５８．５号に開示されている。
【図面の簡単な説明】
【図１】車両内に設置されるバスシステムを使用する、自動車内のタイヤ空気圧監視システムの必須構成要素の配列のブロック図を示す。
【図２】相応してコード化されるプラグインコネクタを用いて、受信アンテナの取り付け場所をコード化する方法の例のブロック図を示す。
【図３】図１のブロック図に同様なブロック図で、及びトレーラ付きの車両の例証として、発明が、さまざまな装置変形のために事前にシステムを準備することをどのように提案するのかを示す。
【図１】
0004582753.tif 000002
【図２】
0004582753.tif 000003
【図３】
0004582753.tif 000004